(57)【要約】【課題】変形または破壊を防ぎつつ、積み重ねられた紙に孔を開ける穿孔パンチを提供する。【解決手段】紙を挿入するための開口を有し開口から挿入された紙を載置するための載置空間が形成されたプラスチック製の基台と、基台に対し枢支点で枢設されたプラスチック製の上蓋と、基台における、枢支点と載置空間の開口との間にあって相互に対向する一対の位置にそれぞれ配設されて、上蓋の枢動により基台に対し上下方向に移動可能な一対のパンチブロックと、基台と上蓋との間に配設されて、基台に対し上蓋を復位させるための付勢力を与える少なくとも１つの復位バネと、を備えてなる穿孔パンチ。【選択図】図１
2014061581.tif 000002
【特許請求の範囲】
【請求項１】
紙を挿入するための開口を有し当該開口から挿入された紙を載置するための載置空間が形成されたプラスチック製の基台と、
前記基台に対し枢支点で枢設されたプラスチック製の上蓋と、
前記基台における、前記枢支点と前記載置空間の開口との間にあって相互に対向する一対の位置にそれぞれ配設されて、前記上蓋の枢動により前記基台に対し上下方向に移動可能な一対のパンチブロックと、
前記基台と前記上蓋との間に配設されて、前記基台に対し前記上蓋を復位させるための付勢力を与える少なくとも１つの復位バネと、を備えたことを特徴とする穿孔パンチ。
【請求項２】
前記基台は、座部及び当該座部の上面に一対の受け座を有し、
前記一対の受け座は水平方向に一直線状に配列されて、前記一対の受け座と前記座部の上面との間の隙間として前記載置空間が形成されることを特徴とする請求項１に記載の穿孔パンチ。
【請求項３】
前記一対の受け座の各々には、プラスチック製の固定座が内設され、
前記固定座には、前記基台のパンチ通過孔と上下方向に一直線状に対応するパンチガイド孔が上下方向に貫通するように形成されるとともに、底面近傍の側面は略水平方向に切り欠かれて前記載置空間と対応するように連通するスリットが形成され、
前記一対のパンチブロックの各々は、前記固定座の前記パンチガイド孔に対し上下方向に挿抜自在に配設されることを特徴とする請求項２に記載の穿孔パンチ。
【請求項４】
前記座部には、
底部に対し、凹形状をなす中空の収容空間が形成され、
上面に対し、前記受け座と対応するように前記収容空間と連通するパンチ通過孔が形成され、
底面に対し、前記収容空間を封止する底蓋が着脱可能に設けられることを特徴とする請求項３に記載の穿孔パンチ。
【請求項５】
前記座部は、上下方向から見て、円形状をなしていることを特徴とする請求項２乃至４の何れか一項に記載の穿孔パンチ。
【請求項６】
前記上蓋における一対の端部のうちの一端部から少なくとも１つの枢軸が挿設され、
当該少なくとも１つの枢軸を介して前記上蓋が前記基台に対し斜め角度をなして枢設され、
当該少なくとも１つの枢軸は前記枢支点を構成することを特徴とする請求項１乃至５の何れか一項に記載の穿孔パンチ。
【請求項７】
前記上蓋は、前記受け座における前記載置空間の側と反対する側に枢設されることを特徴とする請求項６に記載の穿孔パンチ。
【請求項８】
前記上蓋は、上蓋本体及びリッドを有し、
前記上蓋本体は、前記少なくとも１つの枢軸を介して前記基台に枢設されるとともに、中央部分を貫通する収容孔が形成され、
前記リッドは、前記上蓋本体に対し前記基台と反対する側に設けられ、上面の中央部分が下方へ凹形状をなす傾斜状の収納凹部が形成される
ことを特徴とする請求項７に記載の穿孔パンチ。
【請求項９】
前記リッドには、底面で、収容孔から下側に文房具収納部が凸設され、当該文房具収納部の上面に文房具収納凹部が凹設されることを特徴とする請求項８に記載の穿孔パンチ。
【請求項１０】
前記一対のパンチブロックの各々は、上端部がパンチガイド孔から突出して前記上蓋の底面に当接することを特徴とする請求項３、４、及び９の何れか一項に記載の穿孔パンチ。
【請求項１１】
前記一対の受け座の各々は、両側面の相対する箇所に上下方向に摺動孔が形成され、
前記一対のパンチブロックの各々は、両端が前記受け座における相対する前記一対の摺動孔に対しそれぞれ摺動可能に遊嵌されるとともに、当該両端が略水平方向に前記一対の摺動孔をそれぞれ貫通して前記上蓋に固定される摺動軸を有することを特徴とする請求項１０に記載の穿孔パンチ。
【請求項１２】
前記少なくとも１つの復位バネは、前記基台に枢設された前記上蓋の前記少なくとも１つの枢軸に環設されるトーションスプリングであることを特徴とする請求項１乃至４、及び１１の何れか一項に記載の穿孔パンチ。
【請求項１３】
前記少なくとも１つの復位バネは、
中間部に前記基台の上面に当接する当接部が凸設され、両端部が前記上蓋の底面に当接することを特徴とする請求項１２に記載の穿孔パンチ。
【請求項１４】
前記上蓋は、上蓋本体及びリッドを有し、
前記上蓋本体は、少なくとも１つの枢軸を介して前記基台に枢設されるとともに、中央部分を貫通する収容孔が形成され、
前記リッドは、前記上蓋本体に対し前記基台と反対する側に設けられ、上面の中央部分が下方へ凹形状をなす傾斜状の収納凹部が形成される
ことを特徴とする請求項１乃至４の何れか一項に記載の穿孔パンチ。
【請求項１５】
前記リッドには、底面で、収容孔から下側に文房具収納部が凸設され、当該文房具収納部の上面に文房具収納凹部が凹設されることを特徴とする請求項１４に記載の穿孔パンチ。
【発明の詳細な説明】
【技術分野】
【０００１】
本発明は、積み重ねられた紙に孔を開ける穿孔パンチに関する。
【背景技術】
【０００２】
図９に示すように、従来の穿孔パンチは、基台６０の一方側が切り欠かれて載置空間６８が形成され、この載置空間６８に紙を挿入するための開口が形成され、基台６０における載置空間６８の上側に上蓋６２が枢設されて開口と反対する方向に延設され、その枢支点６４の近傍且つ基台６０と上蓋６２との間に、上下移動可能な一対のパンチブロック６６が互いに間隔を隔てて取り付けられている。使用時には、紙を開口から載置空間６８に挿入し、上蓋６２を押し下げることによって、一対のパンチブロック６６を下方に移動させて紙に孔を開けることが可能であり、このような紙はファイルに綴じることができる。
【０００３】
しかしながら、従来の穿孔パンチは、主に金属材質からなるが故に、重いという不便さのみならず、製造上も例えば穿孔や塗装（ペンキ）などの加工が必要であり、コストが嵩むという問題があった。また、従来の殆どの穿孔パンチでは、紙を挿入する方向が基台６０に枢設された上蓋６２の枢支点６４からパンチブロック６６への方向であったことから、同一方向式の穿孔パンチと言われ、パンチする際に基台６０と上蓋６２の枢支点とに上向けの反力を受け、それによりパンチの構造に変形や破壊などが生じたり、穿孔の能力が弱くなるが故に積み重ねられる紙の枚数も少なく制限されたりするため、使用上の利便性を欠くという問題があった。
【０００４】
前述した従来の同一方向式の穿孔パンチの問題を解決するために、特許文献１の「多穴孔明けパンチ」が開発された。特許文献１の穿孔パンチは、紙を挿入する方向を枢支点からパンチブロック６６への方向と反対とし、いわゆる反対方向式の穿孔パンチの構造を有しているため、反力からの変形や破壊などを防止できる。しかし、穿孔パンチの部材は、主に金属材質からなるとともに構造が複雑であるが故に、製造時に、電気めっき、吹き付け塗装、穿孔などの加工が必要であることから、製造上、コストが嵩むという問題があった。
【先行技術文献】
【特許文献】
【０００５】
【特許文献１】特開平０６−３４４２９８号
【発明の概要】
【発明が解決しようとする課題】
【０００６】
従来の同一方向式の穿孔パンチは、パンチからの反力を受けると、一部の構造要素が変形や破壊などが生じやすい上に、穿孔の能力が弱いが故に積み重ねられる紙の枚数も少ない枚数に制限された。一方、この問題を解決するために、反対方向式の穿孔パンチが開発され、これによりパンチからの反力を受けても構造要素の変形や破壊などを低減させることができるが、構造が複雑であるが故に、電気めっき、吹き付け塗装、穿孔などの加工が必要であることから、製造上、コストが嵩むという問題があった。
【課題を解決するための手段】
【０００７】
前述した課題を解決するための本発明は、紙を挿入するための開口を有し当該開口から挿入された紙を載置するための載置空間が形成されたプラスチック製の基台と、前記基台に対し枢支点で枢設されたプラスチック製の上蓋と、前記基台における、前記枢支点と前記載置空間の開口との間にあって相互に対向する一対の位置にそれぞれ配設されて、前記上蓋の枢動により前記基台に対し上下方向に移動可能な一対のパンチブロックと、前記基台と前記上蓋との間に配設されて、前記基台に対し前記上蓋を復位させるための付勢力を与える少なくとも１つの復位バネと、を備えてなる穿孔パンチである。
【０００８】
また、かかる穿孔パンチにおいて、前記基台は、座部及び当該座部の上面に一対の受け座を有し、前記一対の受け座は水平方向に一直線状に配列されて、前記一対の受け座と前記座部の上面との間の隙間として前記載置空間が形成されることが好ましい。
【０００９】
また、かかる穿孔パンチにおいて、前記一対の受け座の各々には、プラスチック製の固定座が内設され、前記固定座には、前記基台のパンチ通過孔と上下方向に一直線状に対応するパンチガイド孔が上下方向に貫通するように形成されるとともに、底面近傍の側面は略水平方向に切り欠かれて前記載置空間と対応するように連通するスリットが形成され、前記一対のパンチブロックの各々は、前記固定座の前記パンチガイド孔に対し上下方向に挿抜自在に配設されることが好ましい。
【００１０】
また、かかる穿孔パンチにおいて、前記座部には、底部に対し、凹形状をなす中空の収容空間が形成され、上面に対し、前記受け座と対応するように前記収容空間と連通するパンチ通過孔が形成され、底面に対し、前記収容空間を封止する底蓋が着脱可能に設けられることが好ましい。
【００１１】
また、かかる穿孔パンチにおいて、前記座部は、上下方向から見て、円形状をなしていることとしてもよい。
【００１２】
また、かかる穿孔パンチにおいて、前記上蓋における一対の端部のうちの一端部から少なくとも１つの枢軸が挿設され、当該少なくとも１つの枢軸を介して前記上蓋が前記基台に対し斜め角度をなして枢設され、当該少なくとも１つの枢軸は前記枢支点を構成することが好ましい。
【００１３】
また、かかる穿孔パンチにおいて、前記上蓋は、前記受け座における前記載置空間の側と反対する側に枢設されることが好ましい。
【００１４】
また、かかる穿孔パンチにおいて、前記上蓋は、上蓋本体及びリッドを有し、前記上蓋本体は、前記少なくとも１つの枢軸を介して前記基台に枢設されるとともに、中央部分を貫通する収容孔が形成され、前記リッドは、前記上蓋本体に対し前記基台と反対する側に設けられ、上面の中央部分が下方へ凹形状をなす傾斜状の収納凹部が形成されることが好ましい。
【００１５】
また、かかる穿孔パンチにおいて、前記リッドには、底面の中央部分で、収容孔から下側に文房具収納部が凸設され、当該文房具収納部の上面に文房具収納凹部が凹設されることが好ましい。
【００１６】
また、かかる穿孔パンチにおいて、前記一対のパンチブロックの各々は、上端部がパンチガイド孔から突出して前記上蓋の底面に当接することが好ましい。
【００１７】
また、かかる穿孔パンチにおいて、前記一対の受け座の各々は、両側面の相対する箇所に上下方向に摺動孔が形成され、前記一対のパンチブロックの各々は、両端が前記受け座における相対する前記一対の摺動孔に対しそれぞれ摺動可能に遊嵌されるとともに、当該両端が略水平方向に前記一対の摺動孔をそれぞれ貫通して前記上蓋に固定される摺動軸を有することが好ましい。
【００１８】
また、かかる穿孔パンチにおいて、前記少なくとも１つの復位バネは、前記基台に枢設された前記上蓋の前記少なくとも１つの枢軸に環設されるトーションスプリングであることとしてもよい。
【００１９】
また、かかる穿孔パンチにおいて、前記少なくとも１つの復位バネは、
中間部に前記基台の上面に当接する当接部が凸設され、両端部が前記上蓋の底面に当接することとしてもよい。
【発明の効果】
【００２０】
本発明に係る穿孔パンチによれば、構造が比較的単純であるが故に部材の数量を低減できる。また、基台と上蓋との間に構成された枢支点からパンチブロックへの方向が載置空間への紙の挿入方向と反対である反対方向式の穿孔パンチという構成であるが故に、穿孔時には、枢支点に受ける上向けの反力が従来の同一方向式の穿孔パンチの場合の反力より小さくなるため、載置空間をその反力で上方へ拡大や変形させることを防ぎ、穿孔時の積み重ねられた紙の枚数を増やすことができる。
【図面の簡単な説明】
【００２１】
【図１】本実施形態の穿孔パンチの斜視図である。
【図２】本実施形態の穿孔パンチの部分分解図である。
【図３】本実施形態の穿孔パンチの正面視平面図である。
【図４】図３の４−４の部分断面側面図である。
【図５】図３の５−５の部分断面側面図である。
【図６】本実施形態の穿孔パンチにおいて上蓋を押し下げた状態を示す部分断面側面図である。
【図７】本実施形態の穿孔パンチにおいて上蓋にスマートフォンを収納した状態を示す斜視図である。
【図８】本実施形態の穿孔パンチにおいて上蓋に小型の文房具を収納した状態を示す斜視図である。
【図９】従来の同一方向式の穿孔パンチの側面図である。
【発明を実施するための形態】
【００２２】
以下、明細書の内容及び図面を参照しつつ、好適な実施の形態を説明する。
【００２３】
図１乃至図３に示すように、本実施形態の穿孔パンチは、基台１０と、上蓋２０と、２つのパンチブロック３０と、少なくとも１つの復位バネ４０と、を備える。
【００２４】
基台１０は、座部１２と、底蓋１４と、２つの受け座１５と、固定座１６とを有し、この座部１２は、円形、矩形、又は如何なる幾何学形状を呈してもよく、底部に対し凹形状をなして中空状態の収容空間１２２が形成される。底蓋１４は、収容空間１２２を封止するように、座部１２の底面に着脱可能にカバーされ、収容空間１２２に、パンチしたくずを受けるようになっている。２つの受け座１５は、座部１２の上面に水平方向に一直線状に配列され、この座部１２の上面との間に隙間として載置空間１３が形成され、この載置空間１３に紙を載置するための開口が形成される。なお、座部１２の上面に受け座１５と対応するように、収容空間１２２と連通するパンチ通過孔１２４が形成される。
【００２５】
各受け座１５に固定座１６が内設され、この固定座１６は、プラスチック製であり、上下方向に貫通するように、基台１０のパンチ通過孔１２４と一直線状に対応するパンチガイド孔１６２が形成され、底面近傍の側面を略水平方向に切り欠き載置空間１３と対応して連通するスリット１６４が形成される。
【００２６】
上蓋２０は、プラスチック製であり、一端に少なくとも１つの枢軸２１が挿設され、枢軸２１を介して上蓋２０が斜めに基台１０に枢設され、その枢軸２１の枢設された位置に枢支点１８が構成される。本実施例における座部１２は、受け座１５の載置空間１３と反対する側に枢設されることが好ましい。
【００２７】
また、上蓋２０は、上蓋本体２２及びリッド２４を有し、上蓋本体２２は、少なくとも１つの枢軸２１を介して基台１０に枢設され、中央部分を貫通する収容孔２２２が形成され、リッド２４は、上蓋本体２２の基台１０と反対する側に取り付けられ、上面の中央部分を下方へ凹んで傾斜状の収納凹部２４２が形成され、収納凹部２４２にスマートフォンなどのものを上蓋２０に収納可能である。
【００２８】
図７及び図８に示すように、リッド２４における底面の中央部分に、収容孔２２２を通過する文房具収納部が凸設され、文房具収納部の上面に文房具収納凹部２４４が凹設され、ペーパークリップやステープルなどの小型の文房具を収納することができ、穿孔の機能だけではなく、収納などの機能も提供し、実用性も向上する。
【００２９】
パンチブロック３０はそれぞれ、金属材質からなり、固定座１６のパンチガイド孔１６２に配設されるように、上下方向に移動自在に基台１０に取り付けられ、上端がパンチガイド孔１６２から突出して上蓋２０の底面に当接され、上蓋２０の枢動により基台１０に対して上下方向に移動することが可能である。また、各パンチブロック３０は、枢支点１８と載置空間１３の開口との間に配設されることから、反対方向式の穿孔パンチを構成する。
【００３０】
また、パンチブロック３０を固定座１６のパンチガイド孔１６２に安定して移動させるために、各受け座１５における両側面の対応する箇所にそれぞれ上下方向に摺動孔１５２が形成され、各パンチブロック３０を略水平方向に摺動軸３２が貫通し、摺動軸３２の両端が摺動可能に受け座１５の対応した摺動孔１５２に配設されて上蓋２０に固定されることが可能である。それにより、パンチブロック３０を固定座１６のパンチガイド孔１６２に安定して上下方向に沿って移動することができる。
【００３１】
一方、本実施形態の穿孔パンチにおける基台１０は、固定座１６が配設されなくてもよく、各受け座１５を貫通するように、パンチブロック３０を挿設させるための摺動孔が形成され、パンチブロック３０を摺動孔に沿って基台１０に対して上下方向に安定して移動できればよい。
【００３２】
少なくとも１つの復位バネ４０は、基台１０と上蓋２０の間に配設され、上蓋２０を復位させるための付勢力を提供する。復位バネ４０は、１つのトーションスプリングであり、基台１０と上蓋２０の枢支点１８に環設される。復位バネ４０は、基台１０に枢設された上蓋２０の枢軸２１に環設されることが好ましい。復位バネ４０の中間部に基台１０の上面に当接する当接部４２が凸設され、復位バネ４０の両端部が上蓋２０の底面に当接されることが好ましい。
【００３３】
図６に示すように、本実施形態の穿孔パンチを使用する時、積み重ねられた紙を基台１０の載置空間１３に入れて２つのパンチブロック３０と対向させ、使用者が上蓋２０を押し下げて基台１０に対して下方へ枢軸回転させると、当該上蓋２０の枢軸回転によりパンチブロック３０は固定座１６のパンチガイド孔１６２に沿って下方へ移動し、紙に孔をあけると共に、紙のくずを基台１０のパンチ通過孔１２４を通過させて収容空間１２２に落とすようになっている。
【００３４】
その後、使用者が上蓋２０を解放することによって、復位バネ４０の付勢力により上蓋２０が基台１０に対し上方へ枢軸回転して復位し、上蓋２０の枢軸回転により摺動軸３２と連動してパンチブロック３０が上方へ移動し、一回の穿孔作業が完了する。前述した操作を繰り返すと、次々にパンチを通じて孔をあけることができる。
【００３５】
本実施形態の穿孔パンチは、簡単な構造を有することから、構成部品の点数を削減でき、その基台１０と上蓋２０との間に構成された、枢支点１８からパンチブロック３０への方向が載置空間１３への紙の挿入方向と反対であることから、反対方向式の穿孔パンチとして穿孔する際、枢支点１８に受けた上向きの反力が従来の同一方向式の穿孔パンチの反力より小さくなり、載置空間１３をその反力で上方へ拡大や変形させることを防ぎ、一度に穿孔可能な紙の積層枚数が増大する。
【産業上の利用可能性】
【００３６】
以上述べたように、本発明に係る穿孔パンチは、例えば、基台１０、上蓋２０、固定座１６などの部材がプラスチック製とすることが可能であるため、重量を低減できるだけではなく、電気めっき、吹き付け塗装、穿孔などの加工が不要で、単に組み立てればよく、その分だけ製造コストが低減できる。また、固定座１６のパンチガイド孔１６２が基台１０のパンチ通過孔１２４と一直線状に対応することから、金型の製造時の困難性が低減でき、その分だけ穿孔パンチの製造コストを大幅に低減できる。
【符号の説明】
【００３７】
１０    基台            
１２    座部            
１２２  収容空間
１２４  パンチ通過孔    
１３    載置空間        
１４    底蓋
１５    受け座          
１５２  摺動孔          
１６    固定座
１６２  パンチガイド孔  
１６４  スリット        
１８    枢支点
２０    上蓋            
２１    枢軸            
２２    上蓋本体
２２２  収容孔          
２４    リッド          
２４２  収納凹部
２４２  収納凹部        
２４４  文房具収納凹部  
３０    パンチブロック  
３２    摺動軸          
４０    復位バネ
４２    当接部          
６４    枢支点            
６６    パンチブロック  
６８    載置空間
【図１】
2014061581.tif 000003
【図２】
2014061581.tif 000004
【図３】
2014061581.tif 000005
【図４】
2014061581.tif 000006
【図５】
2014061581.tif 000007
【図６】
2014061581.tif 000008
【図７】
2014061581.tif 000009
【図８】
2014061581.tif 000010
【図９】
2014061581.tif 000011